(57)【要約】【課題】本発明は、フェンス板を支持する装置を提供する。【解決手段】フェンス板支持装置であって、断面が五角形以上の多角形辺部（２ａ）を有する支柱（２）と、該支柱（２）の前記多角形辺部（２ａ）の少なくとも一つにフェンス板（４）を連結する連結具（５）とを備える。【選択図】図１
2019070282.tif 000002
【特許請求の範囲】
【請求項１】
フェンス板支持装置であって、
断面が五角形以上の多角形辺部（２ａ）を有する支柱（２）と、
該支柱（２）の前記多角形辺部（２ａ）の少なくとも一つにフェンス板（４）を連結する連結具（５）とを備える、フェンス板支持装置。
【請求項２】
請求項１に記載のフェンス板支持装置において、
前記多角形辺部（２ａ）は十六角形の辺を有する、フェンス板支持装置。
【請求項３】
請求項１又は２に記載のフェンス板支持装置において、
前記連結具（５）は、連結棒（７）と、該連結棒（７）の両端に設けた支柱側締結具（８）及びフェンス板側締結具（１１）とを備える、フェンス板支持装置。
【請求項４】
請求項３に記載のフェンス板支持装置において、
前記連結具（５）は、ＩＴハンガー（登録商標）である、フェンス板支持装置。
【請求項５】
請求項１乃至４の何れかに記載のフェンス板支持装置において、
前記連結具（５）は、該支柱（２）の二つ以上の前記多角形辺部（２ａ）において、該支柱（２）及びフェンス板（４）を連結する、フェンス板支持装置。
【請求項６】
フェンス板支持装置であって、
断面が五角形以上の多角形辺部（２ａ）を有する支柱（２）と、
該支柱（２）の前記多角形辺部（２ａ）の少なくとも一つにフェンス板（４）を連結する連結具（５）と、
該連結具（５）に嵌装されたスペーサ（９）と、
該スペーサ（９）の一端と、対応する前記多角形辺部（２ａ）との間に介装された傾斜部材（６）とを備え、
該傾斜部材（６）の所定傾斜角度により、フェンス板（４）の支柱（２）に対する取付角度を微調整する、フェンス板支持装置。
【請求項７】
請求項６に記載のフェンス板支持装置において、
前記多角形辺部（２ａ）は十六角形の辺を有する、フェンス板支持装置。
【請求項８】
請求項６又は７に記載のフェンス板支持装置において、
前記連結具（５）は、連結棒（７）と、該連結棒（７）の両端に設けた支柱側及びフェンス板側締結具（７、８）とを備える、フェンス板支持装置。
【請求項９】
請求項８に記載のフェンス板支持装置において、
前記連結具（５）は、ＩＴハンガー（登録商標）である、フェンス板支持装置。
【請求項１０】
請求項６乃至９の何れかに記載のフェンス板支持装置において、
前記連結具（５）は、該支柱（２）の二つ以上の前記多角形辺部（２ａ）において、該支柱及びフェンスを連結する、フェンス板支持装置。
【発明の詳細な説明】
【技術分野】
【０００１】
本発明は、フェンス板を支持する装置に関する。
【背景技術】
【０００２】
一般に、フェンス板を支持する構造としては図1に示す如く、一つの支柱１６に対して、例えば角度ａをなして交わる一対のフェンス板１５が取付けられるが、角度ａは直角又はそれ以外の角度でもよい。
【０００３】
しかしながら、これによれば、角度ａの値が調整できないという不便がある。
他の従来例としては、図２に示す如く、一方のフェンス板１５Ａが支柱１６に連結され、且つ他方のフェンス板１５Ｂの端板１７が、支柱１６と一体の枢支軸１８の周りに角度ｂの範囲で回転自在に取付けられるものがあった。
【０００４】
しかしながら、これによれば、支柱１６及び端板１７が干渉するために、角度ｂは９０〜２７０度の範囲であり、９０度以下に設定することは困難であり、また角度ｂを正確な角度に設定することも困難であった。
【発明の概要】
【課題を解決するための手段】
【０００５】
上記課題を解決するために、本願の第１の発明になるフェンス板支持装置は、断面が五角形以上の多角形辺部（２ａ）を有する支柱（２）と、支柱（２）の前記多角形辺部（２ａ）の少なくとも一つにフェンス板（４）を連結する連結具（５）とを備える。
【０００６】
好ましくは、前記多角形辺部（２ａ）は十六角形の辺を有する。
また好ましくは、前記連結具（５）は、連結棒（７）と、該連結棒（７）の両端に設けた支柱側締結具（８）及びフェンス板側締結具（１１）とを備える。
【０００７】
また好ましくは、前記である。
また好ましくは、前記連結具（５）は、該支柱（２）の二つ以上の前記多角形辺部（２ａ）において、該支柱（２）及びフェンス板（４）を連結する。
【０００８】
次に、本願の第２の発明になるフェンス板支持装置は、断面が五角形以上の多角形辺部（２ａ）を有する支柱（２）と、該支柱（２）の前記多角形辺部（２ａ）の少なくとも一つにフェンス板（４）を連結する連結具（５）と、該連結具（５）に嵌装されたスペーサ（９）と、該スペーサ（９）の一端と、対応する前記多角形辺部（２ａ）との間に介装された傾斜部材（６）とを備え、該傾斜部材（６）の所定傾斜角度により、フェンス板（４）の支柱（２）に対する取付角度を微調整する。
【０００９】
好ましくは、前記多角形辺部（２ａ）は十六角形の辺を有する。
また好ましくは、前記連結具（５）は、連結棒（７）と、該連結棒（７）の両端に設けた支柱側及びフェンス板側締結具（７、８）とを備える。
【００１０】
また好ましくは、前記連結具（５）は、ＩＴハンガー（登録商標）である。
また好ましくは、前記連結具（５）は、該支柱（２）の二つ以上の前記多角形辺部（２ａ）において、該支柱及びフェンスを連結する。
【発明の効果】
【００１１】
本発明のフェンス板支持装置によれば次に示す効果がある。
（１）支柱２の断面が五角形以上の多角形辺部２ａの少なくとも一つに連結具５によりフェンス板４を連結しているため、断面が四角形の支柱に取付け場合に比して、フェンス板の取付け角度を多様な細かい角度で取付け得、また取付け角度も正確である。
【００１２】
（２）多角形辺部２ａが十六角形の辺の場合は、フェンス板を少なくとも２２．５度という比較的小さい角度差をもって取付け得る
（３）連結具５は、連結棒７と、該連結棒７の両端に設けた支柱側締結具８及びフェンス板側締結具１１とを備えるため、支柱２に対してフェンス板４を強固に取付け得る。
【００１３】
（４）連結具５として、ＩＴハンガー（登録商標）を使用すれば、ＩＴハンガーは市販品であるため安価である。
（５）支柱２の二つ以上の前記多角形辺部２ａにおいて、該支柱２及びフェンス板４を連結具５により連結すれば、二つのフェンス板の離間角度を９０度以下の比較的小さい角度の倍数で種々に調整しうる。
【００１４】
（６）断面が五角形以上の多角形辺部２ａを有する支柱２と、該支柱２の前記多角形辺部２ａの少なくとも一つにフェンス板４を連結する連結具５と、該連結具５に嵌装されたスペーサ９と、該スペーサ９の一端と、対応する前記多角形辺部２ａとの間に介装された傾斜部材６とを備え、該傾斜部材６の所定傾斜角度により、フェンス板４の支柱２に対する取付角度を一層小さい角度で微調整することが可能であり、また取付け角度も正確である。
【図面の簡単な説明】
【００１５】
【図１】フェンス板支持装置の第１の従来例を示す斜視図である。
【図２】フェンス板支持装置の第２の従来例を示す斜視図である。
【図３】本発明のフェンス板支持装置の第１の実施形態を適用したフェンス構造の平面図である。
【図４】図３に示すフェンス構造の正面図である。
【図５】図５Ａは、図３及び図４のフェンス構造に適用する傾斜板の正面図、図５Ｂ乃至図５Ｄは夫々、図５Ａに示す傾斜板の各種変形例の平断面図である。
【図６】図３に示すフェンス構造の他の実施形態においてフェンス板が取付け可能の各種角度位置を示す平面図である。
【図７】図７Ａ及び図７Ｂは夫々、図３に示すフェンス構造の支柱に連結具を使用してフェンス板を取付ける第１の手順を示す部分斜視図及び横断面である。
【図８】図８Ａ及び図８Ｂは夫々、同第２の手順を示す部分斜視図及び横断面図である。
【図９】図９Ａ及び図９Ｂは夫々、同第３の手順を示す部分斜視図及び横断面である。
【図１０】図１０Ａ及び図１０Ｂは夫々、同第４の手順を示す部分斜視図及び横断面である。
【図１１】図１１Ａ及び図１１Ｂは夫々、同第５の手順を示す部分斜視図及び横断面である。
【図１２】図３に示すフェンス構造を適用したフェンス装置の一例の斜視図である。
【図１３】図１２に示すフェンス装置の平面図である。
【発明を実施するための形態】
【００１６】
以下、本発明によるフェンス板支持装置について、図示の実施形態を例にとって具体的に説明する。図３及び図４は夫々、本発明のフェンス板支持装置の第１の実施形態を適用したフェンス構造の平面図及び正面図である。
【００１７】
図３及び図４中、アルミニウム等の耐天候腐食性金属製筒形状の支柱２は、例えば正十六角形の断面を有して外周に上下方向に延びる１６個の多角形辺部２ａを有し、また後述するフェンス板４を取付ける所定の多角形辺部２ａの上部、中間部、及び下部に夫々水平方向貫通孔２ｂ（図７Ａ参照）を有する。従ってこの場合、隣接する多角形辺部２ａのなす角度は「３６０度／１６＝２２．５度」となる。なお、上記十六角形はこれに限らず、五角形以上であればよく、種々の多角形状を取り得る。
【００１８】
この多角形筒状支柱２の内周には、強度向上のため、市販の筒形パイプ３が嵌挿固定され、支柱２は地面１２に直立状に埋設固定される。しかし、筒形パイプ３は必ずしも必要ではない。
【００１９】
フェンス板４は、矩形フレーム４ａの内部に複数の縦格子４ｂが固定されて形成され、図３に示す如く、符号４Ａ、４Ｂ、４Ｃ、４Ｄのうち通常は何れか２つの位置（例えば位置４Ａ及び４Ｂ、又は位置４Ｃ及び４Ｄ）で、連結具５又は更に傾斜板６（６Ａ、６Ｂ）を介して、対応する多角形辺部２ａに連結されている。またフェンス板４を同時に設ける位置は、２つに限ることはなく、何れか３つ以上の位置に設けても良い。
【００２０】
連結具５は一例として市販のＩＴハンガー（登録商標）であり、図７Ａに示す如く、連結棒としてのボルト７に断面Ｕ字形板のストッパー８がピン９により回動自在に枢支されている。このときストッパー８のＵ字形開口部は水平方向を向き、且つピン９は垂直方向に伸びている。
【００２１】
傾斜板６は、図５Ａ及び５Ｂに示す傾斜板６Ａに示す如く、中央貫通孔６ａを有し且つ傾斜角度ｃ１（ｃ１＝３度）を有する金属製板である。この角度ｃは図５Ｃ及び５Ｄに示す傾斜板６Ｂ及び６Ｃにおいては夫々、ｃ２＝５度、ｃ３＝８度であり、更には他の種々の異なる角度であっても良い。
【００２２】
次に、上記フェンス構造１の組付け手順について説明する。
最初に図７Ａに示す如く、連結具５のストッパー８側を支柱２の所定多角形辺部２ａの例えば上方高さの貫通孔２ｂに挿通させ、図８Ａ及び８Ｂの挿通状態にする。次いで、図９Ａ及び９Ｂの如く、連結具５を９０度だけ例えば時計方向へ回転させる。すると、Ｕ字形ストッパー８のＵ字形底部が上方且つＵ字形開口部が下方を向き且つピン９が水平方向に伸びる位置になる。すると、図１０Ａ及び１０Ｂに示す如く、ストッパー８自体の自重により、ストッパー８がピン９の周りに９０度回動する。
【００２３】
次に、図１０Ａ及び１０Ｂ中、連結具５のボルト７に対してスリーブ状スペーサ１０を嵌装させた状態で、第１のフェンス板４Ａの縦フレーム４ａの孔４ｃを、連結具５のボルト７に嵌装させてナット１１により強固に締結すると、図１１Ａ及び図１１Ｂの締結構成が得られる。
【００２４】
上記の締結手順を、図４に示す、所定多角形辺部２ａの中間高さ、及び下方高さの他の２箇所の孔２ｂにおいても行うと、図３中左方に示す如く、第１のフェンス板４Ａの取付けが完了する。
【００２５】
かくして、図６に示す如く、支柱２の他の多角形辺部２ａに第２のフェンス板４を取り付けると、第１及び第２のフェンス板４Ａ間の角度は２２．５度、４５度、６７．５度、９０度・・・と２２．５度の倍数角度のうちから適宜の角度を調整的に選択して取付けることができる。また一旦取付けた後でも、フェンス板４を取付ける多角形辺部２ａを変更することにより、後工程での二つのフェンス板４の取付け角度の変更ができて便利である。
【００２６】
次に、傾斜板６Ａ〜６Ｃ（図５参照）を使用した組付け手順について説明する。
この場合の組付け手順は、上記傾斜板６を使用せずに組付ける手順とほぼ同様であるが、図１０Ａ及び１０Ｂの時点で、ボルト７に対して、先に傾斜板６の孔６ａを嵌装させて該傾斜板６を取付け、次いでスペーサ１０を嵌装させる点で異なるのみである。
【００２７】
従って、この場合は、図３に示す如く、第２のフェンス板４Ｂを第１のフェンス板４Ａを取付けた多角形辺部２ａから時計方向に９０度離れた他の多角形辺部２ａに取り付けたとき、本来なら二つのフェンス板４Ａ及び４Ｂのなす角度は９０度になるはずである。しかるに、第２のフェンス板４Ｂについて支柱及びスペーサ１０間に例えば傾斜板６Ｂ（角度ｃ２＝５度）を介在したことにより、第２のフェンス板４Ｂは図３中上下方向に対して反時計方向へ５度だけ傾斜して支柱２に取付けられる。これにより、第１及び第２のフェンス板４Ａ及び４Ｂ間の角度は「９０度−５度＝８５度」となる。また傾斜板６Ｂを左右逆向きに取付ければ、上記角度は「９０度＋５度＝９５度」となる。
【００２８】
また、図３中右方に示す如く第３の傾斜板４Ｃは、第１の傾斜板４Ａと同様に傾斜板６を介在せずに支柱２の多角形辺部２ａに取付けられ、また第４の傾斜板４Ｄは傾斜板６Ａ（ｃ１＝３度）を介在して上記多角形辺部２ａに隣接する多角形辺部２ａに取付けられている。従って、本来なら二つのフェンス板４Ｃ及び４Ｄのなす角度は２２．５度になるはずであるが、上記傾斜板６Ａ（角度ｃ１＝３度）を介在したことにより、第３及び第４のフェンス板４Ｃ及び４Ｄ間の角度は「２２．５度＋３度＝２５．５度」となる。また傾斜板６Ａを左右逆向きに取付ければ、上記角度は「２２．５度−３度＝１９．５度」となる。
【００２９】
かくして、種々の傾斜角度の傾斜板６を使用することにより、二つのフェンス板４間の角度を０度−１８０度の間で種々の角度に調整設定できて大変便利である。しかも多角形辺部２ａ及び傾斜板６を使用することにより、設定した角度は正確であり且つ安定している。
【００３０】
本発明は、単に支柱２にフェンス板４を取付けてある地域を外部から隔てるのみでなく、図１２及び図１３に示す如く、複数の支柱２及び複数のフェンス板４を、例えばフェンス板４どうしが直交するように配置することにより、複数の区画１３ａ−１３ｄを区画するように使用することも可能であり、その他に種々の形状の区画を形成し得る。
【符号の説明】
【００３１】
１  フェンス構造
２  支柱
２ａ  多角形辺部
２ｂ  貫通孔
３  筒形パイプ
４（４Ａ―４Ｄ）、１５（１５Ａ、１５Ｂ）  フェンス板
４ａ  フレーム
４ｂ  縦格子
５  連結具（ＩＴハンガー）
６（６Ａ−６Ｃ）  傾斜板
７  ボルト（連結棒）
８  ストッパー
９  ピン
１０  スペーサ
１１  ナット
１２  地面
１３  区画
１７  端板
１８  枢支軸
【図１】
2019070282.tif 000003
【図２】
2019070282.tif 000004
【図３】
2019070282.tif 000005
【図４】
2019070282.tif 000006
【図５】
2019070282.tif 000007
【図６】
2019070282.tif 000008
【図７】
2019070282.tif 000009
【図８】
2019070282.tif 000010
【図９】
2019070282.tif 000011
【図１０】
2019070282.tif 000012
【図１１】
2019070282.tif 000013
【図１２】
2019070282.tif 000014
【図１３】
2019070282.tif 000015